(57)【要約】【課題】吸い込み口に設けているフィルターの着脱作業を容易にしてフィルターの掃除をしやすくすることができることを目的とする。【解決手段】加温加湿された空気をキッチンやリビングなどの居室の空間に吹き出す吹き出し口１３とを設け、本体１の前面に意匠パネル１２とを備えた本体１をシステムキッチンの内部に備え、フィルター１１と意匠パネル１２とを一体に設けたという構成にしたことにより、使用者が容易にフィルター１１を着脱するので、吸い込み口５に設けているフィルター１１の着脱作業を容易にしてフィルター１１を掃除をしやすくすることができる加温加湿装置を得られる。【選択図】図１
2015059666.tif 000002
【特許請求の範囲】
【請求項１】
本体内に、空気を送風する送風手段と、前記送風手段によりキッチンやリビングなどの居室内の空気を吸い込む吸い込み口と、前記吸い込み口と前記送風手段との間に吸い込んだ空気の埃を取り除くフィルターと、前記送風手段から送風された空気を温水循環型熱源機からの温水により加温する加温手段と、前記加温手段で加温された空気を加湿する加湿手段と、加温加湿された空気をキッチンやリビングなどの前記居室の空間に吹き出す吹き出し口とを設け、前記本体の前面に意匠パネルとを備え前記本体をシステムキッチンの内部に備え、前記フィルターと前記意匠パネルとを一体に設けたことを特徴とする加温加湿装置。
【請求項２】
前記送風手段を制御する制御部と使用者が運転状況を確認できる表示部とを前記本体に設け、前記制御部により送風の積算時間をカウントし、適切な前記フィルターの清掃時期を前記表示部に表示することを特徴とする請求項１に記載の加温加湿装置。
【請求項３】
前記表示部は略鉛直または略鉛直より上向きに傾いていることを特徴としている請求項２に記載の加温加湿装置。
【請求項４】
前記フィルターの表面が親水性の材料でコーティングすることを特徴とする請求項１または２に記載の加温加湿装置。
【発明の詳細な説明】
【技術分野】
【０００１】
本発明は、加温加湿装置を設置しても居室スペースを占有せず、使用する都度用意する必要の無い加温加湿装置に関するものである。
【背景技術】
【０００２】
従来より、冬場における居室環境の温度による快適性を向上させる手段として、例えば居室に置いて使用する石油ストーブやファンヒーター、居室の壁に据付設置して使用するパッケージエアコン、居室の天井裏空間に隠蔽設置し、送風ダクトを介して居室に温風を供給する空調システム、温水循環型熱源機と接続して居室を自然対流で暖めるセントラルヒーティングシステムといった様々な暖房機器が用いられている。
【０００３】
上記の暖房機器が導入された居室において、さらに快適性を向上させる手段として、居室環境の湿度による快適性を整えることが重要となる。生活環境において、一般的に快適とされる湿度は相対湿度４０〜６０％とされているが、前に上げた暖房システムは居室の温度のみを上げるもので、温度による快適性は確保できても、相対湿度が低くなるため湿度による快適性は確保できない。そこで、湿度による快適性を確保したいユーザーは、居室内に加湿装置を準備し、暖房を行う際に加湿装置で加湿も行うことになる。加湿装置としては、例えば、水を加熱して蒸気を発生させる方式、加湿用フィルターに水を浸透させファンで送風して気化させる方式、超音波による振動で水滴を放出する方式、ノズル等を用いて水を直接噴霧する方式等、様々な方法が提案され、どれも一般的に普及している。
【０００４】
上記の加湿装置に共通する特徴として、ユーザーが加湿装置を加湿したい居室に持ち込み、着脱可能に設けられている貯水タンクに水道の水等を給水し加湿装置に取り付けた後、加湿装置を運転することで貯水タンク内の水が徐々に消費されていき、貯水タンク内の水がなくなったときに水を補充することとなっている。
【０００５】
この方式の場合、その都度加湿装置を用意するのは手間であり、また、居室に置いて使用することとなるため居室のスペースを占有してしまう課題がある。
【０００６】
上記の課題に対応するため、加温加湿装置として、箱型の本体を床下空間に設置して、加湿が必要な場合は、別途、水が入る容器を本体内部に取り付けて加湿手段をその容器の内部に取り付け、容器には給水弁で水を供給するものが提案されている（例えば、特許文献１参照）。
【０００７】
以下、その加温加湿装置について図２を参照しながら説明する。
【０００８】
内部にクロスフローファン１０２とファンモータ１０３と熱交換器１０４が一体となった箱型の本体１０１において、特に熱交換器１０４の銅管内部を送風路１０５とし、銅管表面を温水流路１０６とし、さらに空気吸い込み口１０７を温水流路１０６の外側に配置させたことを特徴とした本体１０１を床下空間に設置して、熱交換器１０４で熱交換された空気は空気吹き出し口１０８から出る。空気吹き出し口１０８と床下空間に敷設されたダクトを接続して居室の床吹き出し口から居室に送風し、居室からの空気は居室の床吸い込み口からダクトを介さずに本体に吸い込まれ、加湿が必要な場合は、別途、水が入る容器を空気吹き出し口１０８近傍に取り付けて加湿手段をその容器の内部に取り付け、容器には給水弁で水を供給しているものがある。
【０００９】
これによると、冬場においては熱交換器を通して暖められた空気が居室に供給され、加湿を行う際は、空気吹き出し口１０８近傍に加湿手段と水が入る容器を取り付けることで自動的に加湿運転を行うことができる。そして、長期に渡って運転を停止した場合、容器の内部には水が残ったままになるため、ユーザーはその都度床下空間に設置された本体のメンテナンスを行い、容器に残った水を捨てることになる。また、熱交換器の銅管内部を送風路とし、銅管表面を温水流路とした構造上、熱交換器近傍の送風路にメンテナンスが容易なフィルターを設けることができない、送風抵抗が大きく風量を確保するためには高出力が必要で運転騒音が大きくなる等、様々な実用上の課題があった。
【先行技術文献】
【特許文献】
【００１０】
【特許文献１】特開２００６−１０２９５号公報
【発明の概要】
【発明が解決しようとする課題】
【００１１】
このような従来の加温加湿装置においては、冬場において居室を暖房すると湿度が低下し湿度を上げようとすると別途加湿装置が必要となるが、その都度加湿装置を用意するのは手間であり、また、居室のスペースを占有してしまうという課題を有していた。
【００１２】
また、加湿が必要でないときには不要となってしまうために片付ける必要がある。このような従来の加温加湿装置の設置場所における課題を解決するために、システムキッチンに隠蔽型の加湿装置を設けた場合、吸い込み口に設けているフィルターが着脱しにくく掃除しにくい、という課題を有していた。
【００１３】
そこで本発明は、上記従来の課題を解決するものであり、吸い込み口に設けているフィルターの着脱作業を容易にしてフィルターの掃除をしやすくすることができる加温加湿装置を提供することを目的とする。
【課題を解決するための手段】
【００１４】
そして、この目的を達成するために、本発明は、加熱調理装置とシンクと食洗器とを備えたシステムキッチンにおいて、前記システムキッチンの収納棚に加湿フィルターと加温装置と送風装置とドレン装置を内部に有した本体とを設置したとしたものであり、本体内に、空気を送風する送風手段と、前記送風手段によりキッチンやリビングなどの居室内の空気を吸い込む吸い込み口と、前記吸い込み口と前記送風手段との間に吸い込んだ空気の埃を取り除くフィルターと、前記送風手段から送風された空気を温水循環型熱源機からの温水により加温する加温手段と、前記加温手段で加温された空気を加湿する加湿手段と、加温加湿された空気をキッチンやリビングなどの前記居室の空間に吹き出す吹き出し口とを設け、前記本体の前面に意匠パネルとを備え前記本体をシステムキッチンの内部に備え、前記フィルターと前記意匠パネルとを一体に設けたことを特徴としており、これにより所期の目的を達成するものである。
【発明の効果】
【００１５】
本発明によれば、本体内に、空気を送風する送風手段と、前記送風手段によりキッチンやリビングなどの居室内の空気を吸い込む吸い込み口と、前記吸い込み口と前記送風手段との間に吸い込んだ空気の埃を取り除くフィルターと、前記送風手段から送風された空気を温水循環型熱源機からの温水により加温する加温手段と、前記加温手段で加温された空気を加湿する加湿手段と、加温加湿された空気をキッチンやリビングなどの前記居室の空間に吹き出す吹き出し口とを設け、前記本体の前面に意匠パネルとを備え前記本体をシステムキッチンの内部に備え、前記フィルターと前記意匠パネルとを一体に設けた、という構成にしたことにより、使用者が容易にフィルターを着脱することとなるので、吸い込み口に設けているフィルターの着脱作業を容易にしてフィルターの掃除をしやすくすることができる、という効果を得ることができる。
【図面の簡単な説明】
【００１６】
【図１】本発明の実施の形態１の加温加湿装置の内部構成を示す斜視図
【図２】同加温加湿装置の側断面図
【図３】同加温加湿装置の内部構成を示す制御装置側からの斜視図
【図４】同加温加湿装置の内部構成を示す本体の背面側からの斜視図
【図５】同加湿加温装置のキッチンを示す斜視図
【図６】同加湿加温装置の加湿水パンを示す斜視図
【図７】従来の加温加湿装置の内部を示す構成図
【発明を実施するための形態】
【００１７】
本発明の請求項１記載の加温加湿装置は、本体内に、空気を送風する送風手段と、前記送風手段によりキッチンやリビングなどの居室内の空気を吸い込む吸い込み口と、前記吸い込み口と前記送風手段との間に吸い込んだ空気の埃を取り除くフィルターと、前記送風手段から送風された空気を温水循環型熱源機からの温水により加温する加温手段と、前記加温手段で加温された空気を加湿する加湿手段と、加温加湿された空気をキッチンやリビングなどの前記居室の空間に吹き出す吹き出し口とを設け、前記本体の前面に意匠パネルとを備え前記本体をシステムキッチンの内部に備え、前記フィルターと前記意匠パネルとを一体に設けた、という構成を有する。これにより、使用者が容易にフィルターを着脱することとなるので、吸い込み口に設けているフィルターの着脱作業を容易にしてフィルターの掃除をしやすくすることができる、という効果を奏する。
【００１８】
また、前記送風手段を制御する制御部と使用者が運転状況を確認できる表示部とを前記本体に設け、前記制御部により送風の積算時間をカウントし、適切な前記フィルターの清掃時期を前記表示部に表示する、という構成にしてもよい。これにより、フィルターの適切な清掃時期を使用者に知らせることとなるので、フィルターを適切に清掃することができる、という効果を奏する。
【００１９】
また、前記表示部は略鉛直または略鉛直より上向きに傾いている、という構成にしてもよい。これにより、フィルターの適切な清掃時期を分かりやすく使用者に知らせることとなるので、フィルターをより適切に清掃することができる、という効果を奏する。
【００２０】
また、前記フィルターの表面が親水性の材料でコーティングする、という構成にしてもよい。これにより、油が付着した塵埃とフィルターとの間に親水性の材料によって水が浸水することとなるので、フィルターの清掃をしやすくすることができる、という効果を奏する。
【００２１】
以下、本発明の実施の形態について図面を参照しながら説明する。
【００２２】
（実施の形態１）
図１から図６に示すように、方形状の本体１内に送風装置２を備え、送風装置２としては圧損に強いシロッコファン３とそのシロッコファン３を駆動させるファンモーター４にて構成される。
【００２３】
送風装置２によって、キッチンやリビングの空気を吸い込み口５から吸い込み、加熱手段として温水循環型熱源機（図示せず）に接続される加温装置６とを備え、加温装置６の風下側に加湿手段として加湿素子が格子状に編みこまれた加湿装置７を備える。
【００２４】
前記加湿装置７に吸水を行わせる手段として、本体１の内部に例えばコストが安くかつ耐薬性に優れている樹脂製（ＰＰ）の加湿水パン８を備え、上水配管（図示せず）に接続される給水手段として一般的に使用されている電磁弁である給水弁９を駆動することで上水である加湿水を加湿水パン８に上方から注ぎ、加湿水パン８の加湿水を吸い上げるように取り付けられた加湿装置７に加湿水を吸い上げさせる。
【００２５】
送風装置２と給水弁９との駆動を、後述の例えば安価でありかつ調達が容易なサーミスタ等の吸い込み温度検知手段１４と後述の吸い込み湿度検知手段１５からの入力信号をもとに制御する制御手段としてのプリント基板（図示せず）を有する制御装置１０を本体１内の加湿水パン８の対向する壁面に設ける。なぜなら、加湿水パン８からの漏水時に制御装置１０内に漏水が入って故障するのを防ぐためである。
【００２６】
そして、前記プリント基板上にはアクチュエーター（前記送風装置２と前記給水弁９と後述のドレンポンプ１７）の運転を入切するためのコンデンサやリレーやトランスやマイコンや電流ヒューズ等が実装されている。
【００２７】
そして、制御装置１０から運転命令が出されると、送風装置２が駆動し、シロッコファン３が回転し、本体１の吸い込み口５からキッチンやリビングの空気が吸い込まれるが、吸い込み口５は床側に開口されメッシュ状の吸い込み空気のフィルター１１を通して吸い込まれる。
【００２８】
そして、加温装置６は銅管と放熱用アルミフィン（図示せず）から構成されており、銅管の内部に約６０℃の温水が通り、温水の熱エネルギーが銅管と接する放熱用アルミフィンに伝達される仕組みである。
【００２９】
この放熱用アルミフィンに送風することで、キッチンやリビングの空気と温水循環型熱源機から供給される温水との間で熱交換を行い、吸い込み空気の温度を上げている。
【００３０】
加温装置６の複数枚の放熱用アルミフィンの間を通った後の空気は熱エネルギーを受け取ることで温度（例えば、約４０℃）が上がっており、この空気を加湿装置７の格子状の間に通すことで、加湿装置７に吸水されていた加湿水を常温の空気（キッチンやリビング）に対して効率良く気化させて加湿空気とすることができる。
【００３１】
加湿装置７を通った空気は気化した水分を含んでいるために湿度が上がっており、この加湿空気を吸い込み口５と同一面上に開口され、格子状の吹き出し口１３からキッチンやリビングに吹き出され、リビングの昇温と昇湿をおこない空気調和すなわち快適性の向上を図っている。
【００３２】
本実施の形態１で説明する加温加湿装置には、シロッコファン３のキッチンやリビングの温度や湿度を的確に測れるため風上側の近傍にサーミスタセンサである吸い込み温度検知手段１４と吸い込み湿度検知手段１５を設け、吸い込み温度検知手段１４が検知した温度と吸い込み湿度検知手段１５で吸い込み湿度が、あらかじめ決められた温度（例えば、不快とされている４０℃）以上であるときには温水給水弁１６を閉じ加温装置６への温水供給を止める。
【００３３】
また、あらかじめ決められた湿度（例えば、不快とされている８０％）以上であるときには送風装置２の風量を弱める（例えば、半減）、または停止するようにする。
【００３４】
これにより、キッチンやリビングの室温が高いとき（例えば、不快とされている４０℃）の不要な加熱を防ぐことができる。
【００３５】
また、キッチンやリビングの湿度が高いとき（例えば、不快とされている８０％）には不要な加湿を防ぐことができる。
【００３６】
不要な加湿を防ぐということは、結露防止ということでも有効となる。
【００３７】
加湿運転の立ち上がり時に、加温装置６と加湿装置７を同時に駆動させることにより、空気を一度加温することにより、加湿装置７での放湿能力が上がり、キッチンやリビングの湿度を所定の湿度まで上げるのに短時間にておこなうことができる。
【００３８】
一例を示すと、加温装置６により加温しながら、加湿装置７を駆動させた場合に、リビングやキッチンの湿度を約３０分にて所定の湿度（例えば３０％から５０％）にすることができるが、加温装置６により加温せずに加湿装置７のみで加湿させた場合では所定の湿度にするのに約２時間かかるということになる。
【００３９】
よって、加湿運転の立ち上がり時に一定時間のみ加温装置６を運転し、所定の湿度に達すれば、加温装置６を停止する運転とすることが省エネで立ち上がりも早くキッチンやリビングの調湿が可能である。
【００４０】
本体１は、キッチン内に隠蔽され、リビングの空間のデザインや場所をとらないようにする。
【００４１】
また、加湿水パン８の底面は、ドレンポンプ１７の設置部のみ５ｍｍから２０ｍｍの範囲で下方へ窪ませてあり、また、残水が窪みに流れ込むよう、窪みに向けてわずかに勾配を設けた形状としている。
【００４２】
そして、加湿水パン８には加湿水パン８内の加湿水の水位を検知するための水位検知手段の水位検知センサ１８を設ける。
【００４３】
水位検知センサ１８は、センサ間に水により導通されると、水位を検出するのが一般的であるが、フロート式のものでも同様の効果を得られる。
【００４４】
水位検知センサ１８が満水を検知すると、給水弁９の駆動を停止する。
【００４５】
その後、本体１の運転によって加湿水パン８の加湿水が使用され、水位検知センサ１８の満水検知が解除されてから例えば６００秒後に、再び水位検知センサ１８が満水検知するまで給水弁９を駆動して給水を行う、というサイクルで加湿水の供給を行うので、加湿水の過剰供給を防ぐことができる。
【００４６】
なお、給水弁９を駆動しているにもかかわらず一定時間（例えば４０秒間）水位検知センサ１８が満水を検知しない場合は、何らかの不具合、例えば給水弁９の故障や上水配管に取り付けられた止水栓が閉まっている等の理由により給水を行っていないと判断し、給水異常を吸い込み口５と同一面上に設けた表示部１９に表示するとともに本体の運転を停止する。
【００４７】
逆に加湿水パン８には異常水位検知センサ２０が満水を検知するより十分に高水位、かつ、加湿水パン８から加湿水が溢れる前に水位を検知する高さに、水位検知手段として異常水位検知センサ２０を取り付けている。
【００４８】
異常水位検知センサ２０が検知をした場合にも表示部１９に表示するとともに本体１の運転を停止する。
【００４９】
さらに、表示部１９には運転時間を積算して、表示部１９に前もって定めた例えば３ヶ月相当とする１０００時間運転後にフィルター１１の清掃時期を使用者へ促すような表示（例えばフィルターチェック専用のＬＥＤを点滅）を行うようにする。
【００５０】
さらに、表示部１９の向きは、本体１の底面に対して略鉛直または略鉛直より少しでも上向きにすることにより、使用者がフィルター１１の清掃時期のお知らせ表示に例えば使用者が前かがみになった姿勢で気づきやすくなるため、交換時期を認識してフィルターを容易に清掃することができる。
【００５１】
さらに、図２に示すように、フィルター１１と意匠パネル１２とは一体成形品する、または、２つ以上の部品（フィルター１１と意匠パネル１２）からなるサブユニット（すなわち意匠パネル１２組）のどちらでも良く、使用者が清掃のため意匠パネル１２を本体１前面から取り外すことにより、意匠パネル１２の裏側に設けているフィルター１１も容易に本体１前面から取り外すことができる。
【００５２】
また、意匠パネル１２と本体１との固定は、爪嵌合やラッチを使用することで、工具を使用すること無く意匠パネル１２の着脱を容易にすることができる。
【００５３】
そして、フィルター１１は、ポリプロピレン樹脂の糸を編み合わせたネットフィルターやステンレス材の細線を編み合わせたメッシュフィルター、薄いステンレス板を小さな丸穴をたくさん開けたパンチングフィルター等を使用する。本体１はシステムキッチンに組み込まれるため、調理油を含む埃がフィルター１１に付着することが考えられる。したがって、フィルター１１の表面に親水性処理をすることで、水洗いすることで容易にフィルター１１の汚れを落とすことができる。
【産業上の利用可能性】
【００５４】
本発明にかかる加温加湿装置は、吸い込み口に設けているフィルターの着脱作業を容易にしてフィルターの掃除をしやすくすることができることを可能とするものであるので、システムキッチンに隠蔽形の加温加湿装置等として有用である。
【符号の説明】
【００５５】
１      本体
２      送風装置
３      シロッコファン
４      ファンモーター
５      吸い込み口
６      加温装置
７      加湿装置
８      加湿水パン
９      給水弁
１０    制御装置
１１    フィルター
１２    意匠パネル
１３    吹き出し口
１４    吸い込み温度検知手段
１５    湿度検知手段
１６    温水給水弁
１７    ドレンポンプ
１８    水位検知センサ
１９    表示部
２０    異常水位検知センサ
【図１】
2015059666.tif 000003
【図２】
2015059666.tif 000004
【図３】
2015059666.tif 000005
【図４】
2015059666.tif 000006
【図５】
2015059666.tif 000007
【図６】
2015059666.tif 000008
【図７】
2015059666.tif 000009